(57)【要約】【課題】  本発明の第１の目的は、装置を大型化させることなく、小径コインに適用可能にすることである。  本発明の第２の目的は、小径コインに容易に適用可能にすることである。【解決手段】所定の位置を中心とした第１半径を有する第１弧状部および前記位置を中心として前記第１半径よりも小さな半径上の第２弧状部によって弧状通路を構成し、ほぼ垂直な入口通路により案内されたコインをこの弧状通路において正貨と偽貨とに選別するコインセレクタにおいて、前記位置に支軸を配置し、嵌合孔を中心に形成した前記第２弧状部及び前記入口通路を画定する入口ガイドを形成した板状ガイドを設け、前記嵌合孔を前記支軸に嵌合し、前記入口ガイド部に形成した固定部において固定することを特徴とするコインセレクタである。【選択図】図３
2005190227.tif 000002
【特許請求の範囲】
【請求項１】
所定の位置(P)を中心とした第１半径を有する第１弧状部(122)および前記位置(P)を中心として前記第１半径よりも小さな半径上の第２弧状部(138)によって弧状通路(156)を構成し、ほぼ垂直な垂直通路(154)により案内されたコインをこの弧状通路(156)において正貨と偽貨とに選別するコインセレクタにおいて、
前記位置(P)に支軸(126)を配置し、嵌合孔(136)を中心に形成した前記第２弧状部(138)及び前記垂直通路(154)を画定する入口ガイド(148)を形成した板状ガイド(134)を設け、前記嵌合孔(136)を前記支軸(126)に嵌合し、入口ガイド部(146)に形成した固定部(165)において固定することを特徴とするコインセレクタ。
【請求項２】
前記板状ガイド(134)は、所定位置(P)を中心とするほぼ円形部(144)とその円形部(144)から上方に伸びる入口ガイド部(146)を有し、全体として６字形である請求項1のコインセレクタ。
【発明の詳細な説明】
【技術分野】
【０００１】
本発明は、投入されたコインを転がしながら正貨と偽貨とに区分けする転動式のコインセレクタに関する。
特に本発明は、簡単な部品変更によって大径から小径まで選別可能なコインセレクタに関する。
なお、本明細書で使用する「コイン」は、通貨であるコインの他、ゲーム機のトークンやメダルの総称である。
【背景技術】
【０００２】
第１の従来技術として、本出願人の提案にかかる、小型かつ高選別精度であって、かつ、異なる直径のコインに容易に設定変更可能なコインセレクタが知られている（例えば、特許文献１参照。）。
このコインセレクタは、所定の位置を中心とした第１半径を有する第１弧状部および前記位置を中心として前記第１半径よりも小さな半径を有する溝付きホイールによって弧状通路を構成し、ほぼ垂直な入口通路により案内されたコインを弧状通路において、第１弧状部及びホイールの溝により案内し、小径コインはホイールの溝に案内されないことにより正貨と偽貨とに選別するコインセレクタである。
このコインセレクタにおいて、直径の異なるコインを用いる場合、直径の異なるホイールに交換する。
第二の従来技術として、傾斜する直線状のガイドレールと平行に上側のガイドレールを配置し、コインの直径に合わせてこれらの間隔を調整することが知られている（例えば、特許文献２参照。）。
【０００３】
【特許文献１】特開2001-229431（図１―１３、第３−７頁）
【特許文献２】特許第3318464号（図５―７、第４頁）
【発明の開示】
【発明が解決しようとする課題】
【０００４】
第一の従来技術は、コインが垂直落下から横方向に転向される過程でその直径の選別を行うため、特許文献２に開示されるコインセレクタよりも小型化できる利点がある。
また、異なる直径のコインに適応する場合、ホイールを交換するだけでよいので、極めて容易である利点を有する。
しかしながら、第１の従来技術においては、コインが小径になるとホイールが大径になるという反比例の関係にある。
このため、所定範囲を超える小径コインに対応する場合、ホイールが大径化してセレクタフレームから突出し、大型化するという問題がある。
また、大型化しなくとも、他のカバー等に干渉するため、別カバーを準備せねばならないという問題がある。
【０００５】
第２の従来技術のように、第１の技術のホイールに換えて弧状のレールを用い、そのレールを位置調整可能にすることができる。
この場合、弧状レールは第１の弧状レールに対し同心状に配置せねばならないため、その位置調整が困難である。
【０００６】
本発明の第１の目的は、コインセレクタを大型化させることなく、かつ、他の構成部品と干渉することなく、小径コインに適用可能にすることである。
本発明の第２の目的は、小径コインに容易に適用可能にすることである。
【課題を解決するための手段】
【０００７】
この目的を達成するため、本発明にかかるコインセレクタは以下のように構成される。
所定の位置を中心とした第１半径を有する第１弧状部および前記位置を中心として前記第１半径よりも小さな半径上の第２弧状部によって弧状通路を構成し、ほぼ垂直な入口通路により案内されたコインをこの弧状通路において正貨と偽貨とに選別するコインセレクタにおいて、前記位置に支軸を配置し、嵌合孔を中心に形成した前記第２弧状部及び前記入口通路を画定する入口ガイドを形成した板状ガイドを設け、前記嵌合孔を前記支軸に嵌合し、前記入口ガイド部に形成した固定部において固定することを特徴とするコインセレクタである。
【発明の効果】
【０００８】
この構成において、第２弧状部と入口ガイドとを形成した板状ガイドであって、使用コインに適合したガイドを支軸に嵌合し、入口ガイド部に形成した固定部において固定することにより、第２弧状部の第１弧状部に対する位置決めと入口ガイドの位置決めが自動的になされる。
換言すれば、第１の従来技術におけるホイールの支軸を中心とする第２弧状部と第２弧状部に連続する入口ガイドを形成した板状ガイドの嵌合孔を前記支軸に嵌合し、入口ガイド部の固定部において固定することにより、第２弧状部と入口ガイドとの位置決めがなされる。
【０００９】
したがって、板状ガイドであるから、ホイールのように形状の制約がないため、第２弧状部の半径が大きくなった場合、板状ガイドは本体外に突出することがない。
また、他の構成部品と干渉することもない。
結果として、コインセレクタは大型化せず、かつ、新たな他部品を準備する必要がない利点を有する。
また、嵌合孔を支軸に嵌合し、固定部で固定するという簡単な作業で新たなコインに適応できるので、その適応作業が容易である利点を有する。
【００１０】
本発明は、請求項１の発明において、前記板状ガイドは、前記所定位置を中心とするほぼ円形部とその円形部から上方に伸びる入口ガイド部を有し、全体として６字形であることが好ましい。
この構成において、取付の説明をする際、板状ガイドを６字状に取り付けて固定部で固定すると説明できるので、説明し易く、かつ、理解しやすい利点を有する。
【発明を実施するための最良の形態】
【００１１】
本発明の最良の形態は、所定の位置を中心とした第１半径を有する第１弧状部および前記位置を中心として前記第１半径よりも小さな半径上の第２弧状部によって弧状通路を構成し、ほぼ垂直な入口通路により案内されたコインをこの弧状通路において正貨と偽貨とに選別するコインセレクタにおいて、前記位置に支軸を配置し、嵌合孔を中心とするほぼ円形部の一部である前記第２弧状部及びその第２弧状部部から上方に伸び、かつ、前記入口通路を画定する入口ガイドを形成した全体として６字形である板状ガイドを設け、前記嵌合孔を前記支軸に嵌合し、前記入口ガイド部に形成した固定部において固定することを特徴とするコインセレクタである。
【実施例】
【００１２】
図１は、実施例のコインセレクタの正面斜視図である。
図２は、実施例のコインセレクタの正面図である。
図３は、実施例のコインセレクタの分解斜視図である。
図4は、実施例のカバー取り外したコインセレクタの正面図である。
図５は、図２におけるA―A断面図である。
図６は、実施例のコインセレクタの背面斜視図である。
【００１３】
図1において本体100は、断面チャンネル形状であって、その溝部102(図3)は縦長に形成され、樹脂等により成形されている。
樹脂等により成形したカバー104は、本体100に突設した軸受106に軸108により回動自在に枢着されている。
また、カバー104は軸108に巻き付けたバネ110(図2)により本体100側に付勢されている。
本体100の左側端部上面にコインの投入孔112、本体100の右側端面に正貨コイン出口114が配置されている。
【００１４】
次に本体100の構造を、主に図3及び図4を参照して説明する。
本体100のほぼ垂立するベースボード116の中間に、幅がコインとほぼ同一のレール118が側方に突出している。
レール118は、ほぼ垂直の下降部120、それに続いて円のほぼ６分の１の第１弧状部122、第１弧状部122に続く直線的な第１傾斜部124よりなっている。
第１弧状部122は、支軸126の中心位置Pを中心とする所定の第１半径R1で形成されている。  
【００１５】
支軸126は、ベースボード116のほぼ上部中央における中心位置Pにおいてベースボード116に対し直角に形成された丸棒状である。
レール118表面、換言すれば、支軸126側内面には、ステンレス板128が摩耗防止のため取り付けてある。
したがって、ステンレス板128の内表面がコインのガイドであるが、本明細書において、前記下降部120、第１弧状部122および第１傾斜部124は、ステンレス板128の対応する位置の内表面をも意味する。
このレール118に隣接した本体100側に垂立壁130を設けてある。
レール118沿ってレール118を含む平面がコイン通路132を形成する。
【００１６】
板状ガイド134は、支軸126にその嵌合孔136を嵌合し、ベースボード116に密着させてある。
この板状ガイド134の第１弧状部122に相対する部位が第２弧状部138であり、中心位置Pを中心にした前記第１半径よりも小さい第２半径R2により弧状に形成されている。
板状ガイド134は、第２弧状部138の上流側に、直線状の第２下降部140が連続して形成されている。
換言すれば、第２弧状部138に連続した上方に、第１下降部120と平行に第２下降部140が形成されている。
【００１７】
また、板状ガイド134は、第２弧状部138の下流側に直線状の第２傾斜部142が形成されている。
換言すれば、第２弧状部138に連続して斜め下方に第１傾斜部124と平行に伸びる第２傾斜部142が形成されている。
図4に示すように、第２弧状部138、第２下降部140及び第２傾斜部142は、板状ガイド134の下部のほぼ円形の円径部144の周面に形成されている。
【００１８】
さらに、円径部144から上方に向かって入口ガイド部146が直線状に形成され、前記第２下降部140に連続して入口ガイド148が形成されている。
詳述すると、入口ガイド148は、第２下降部140から第１下降部120から遠ざかるよう斜め上方に直線状に伸びている。
本体100側にも、下降部120に連続して斜め上方に伸びる本体側入口ガイド150が形成されている。
【００１９】
したがって、コイン通路132は、最上部において本体側入口ガイド150と入口ガイド148によって下すぼまりの漏斗状部152であり、その下方は第１下降部120と第２下降部140によってほぼ垂立する垂直通路154であり、その下方は第１円弧部122と第２円弧部138によって約60度横方向に転向される弧状通路156であり、その下方は、第１傾斜部124と第２傾斜部142によって水平線に対し約30度で傾斜する傾斜通路158である。
【００２０】
さらにまた、第１下降部120と第２下降部140、第１弧状部122と第２弧状部138および第１傾斜部124と第２傾斜部142との間隔は、同一であり、コインの直径よりも僅かに大きく設定される。
板状ガイド134の第２下降部140、第２弧状部138及び第２傾斜部142に対応する部位は、垂立壁130側に僅かに突出する側面ガイド160が形成されている。
換言すれば、垂立壁130と側面ガイド160は、同一平面内に位置している。
これにより、正貨の側面の一部がそれら垂立壁130と側面ガイド160によって案内されつつレール118(ステンレス板128)上を転がる。
【００２１】
嵌合孔136は、支軸126に密にはまり合い、入口ガイド部146に形成した通孔162を貫通するスクリュウ164をベースボード116のネジ孔166にねじ込むことにより板状ガイド134を所定位置に固定する。
換言すれば、板状ガイド134は嵌合孔136を支軸126に嵌合し、スクリュウ164をネジ孔166にねじ込むことにより、自動的に位置決めがなされる。
したがって、通孔162が固定部165である。
【００２２】
なお、支軸126には、特許文献1におけるローラが嵌合可能であり、また、規制板がネジ孔166にねじ込まれるスクリュウによって固定可能である。
したがって、大径コインを選別する場合、それらローラおよび規制板に交換する。
レール118の第１傾斜部124の中間において、フォーク状の非接触センサ170がベースボード116に固定されている。
【００２３】
このセンサ170は、コイン通路132を挟んで投光部と受光部を配置した光電式センサが好ましい。
コインは、第１傾斜部124をコイン出口114に向かって転がる途上で前記投受光部間の光軸を遮断するので、センサ170はこの遮断に基づいてコイン検知信号を出力する。
【００２４】
転落防止板172がセンサ170と一体的に固定され、コイン通路132を挟んでベースボード116の反対側に配置されている。
転向防止板172は、ベースボード116と共同してコイン通路132を画定し、コインのレール118からの落下を防止する。
第１ゲート手段174はコイン通路132の傾斜通路158の下流端部、かつ、レール118に近接した位置に進退可能に配置され、樹脂成形されている。
【００２５】
第１ゲート手段174は、ベースボード116の背面に突設した軸受(図示せず)に支持された軸(図示せず)に回動自在に支持されている。
第１ゲート手段174の先端部は、コイン通路132の傾斜通路158、すなわち、レール118の僅かに上方を直角に横断可能な棒状の突部176、その突部176に続いてコイン通路132の上流側に面して凸になる弧状面178が形成されている。
突部176および弧状面178のコイン通路132への突出位置は、弧状通路156の直近下流、かつ、センサ170の上流である。
【００２６】
第１ゲート手段174は、ベースボード116に形成した孔179からコイン通路132に進退する。
第２ゲート手段180は、樹脂により成形され、ベースボード116の背面から突出する軸受(図示せず)に固定された軸(図示せず)に一端部が回動自在に枢軸されている。
【００２７】
第２ゲート手段180は、付勢手段、例えば前記軸回りに装着したスプリング(図示せず)により常時コイン通路132側に、付勢されている。
そして、通常この付勢力によりにカム面182がコイン通路132の弧状通路156に位置した状態で図示しないストッパに係止されて静止している。
換言すれば、突部176あるいは弧状面178に係止されたコインに、次のコインが衝突するのを回避するために第１ゲート手段174とコインの直径よりも僅かに離して配置されている。
【００２８】
第２ゲート手段180は、正面から見て第１弧状通路122に沿って弧状であると共に、コイン通路132の上流側から下流側向かって暫時コイン通路132に突出するようにカム面182が形成されている。
第２ゲート手段180は、ベースボード116に支軸126を中心に形成した弧状開口186に配置してある。
【００２９】
図６に示すように、ベースボード116の背面にソレノイド190が固定されている。
ソレノイド190のアーマチャ192の先端にはリンク194の一端がピンにより枢着してある。
このリンク194の他端は、第１ゲート手段174の中間部にピン196により枢着してある。
【００３０】
アーマチャー192は、スプリング198によってソレノイド190から突出する方向に付勢されている。
これにより、ソレノイド190がOFFのとき、スプリング198の弾発力によりアーマチャ192は突出され、第１ゲート手段174の弧状面178がコイン通路132に突出した状態、すなわちキャンセル位置で図示しないストッパに当接して静止している。
【００３１】
ゲーム機が作動状態のとき、ソレノイド190が励磁され、アーマチャ192が吸引されるので、リンク194等を介して第１ゲート手段174が引かれ、第１ゲート手段174は軸(図示せず)を中心として回動される。
その旋回途上の、弧状面178がコイン通路132から退避したところで第１ゲート手段174の突起(図示せず)が第２ゲート手段180の突起(図示せず)に係合し、第２ゲート手段180を友連れ回動させて突起176および第２ゲート手段180をコイン通路132から撤退させ、それぞれ退避位置に保持する。
この友連れを開始するのは、アーマチャ192がソレノイド190にほぼ引き込まれた位置である。
したがって、ソレノイド190の牽引力が大きい状態なので、第２ゲート手段180のスプリングの付勢力が加わってもそれに抗して移動させることができる。
【００３２】
手動キャンセル受けレバー200は、ベースボード116の背面に突出する軸202に枢着されている。
図6から明らかなように、手動キャンセルレバー204が、前記開口186に位置しており、第２ゲート手段180から第１ゲート手段174に跨って相対するよう円弧の４分の１程度の大きさになっている。
この手動キャンセルレバー204は腕206に固定されており、背面にカム(図示せず)が突設されている。
キャンセル受けレバー200の反対側に突出する腕208には前記カムに相対してカム(図示せず)が形成してある。
【００３３】
キャンセル受けレバー200はゲーム機のキャンセル釦により押し下げられた場合、軸202の回りを図6において反時計回り方向に回動する。
この回動により、前記２つのカムにより手動キャンセルレバー204は図5において上方向に移動され、その先端部がコイン通路132に進入することにより、コイン通路132に位置しているコインを強制的にレール118上から押し出して落下させる。
キャンセル受けレバー200は、ゲーム機のキャンセル釦の押し下げが解除された場合、スプリング(図示せず)の弾性により復帰する。
この復帰に伴って手動キャンセルレバー204は腕206の弾発力により、コイン通路132から外れた退避位置に復帰する。
【００３４】
カバー104は、コインの投入口112に相対する部位が上端側から下降するにつれて通路の厚みが薄くなるよう傾斜したガイド部212になっている。
そのガイド部212に続いて厚みがコインよりも僅かに大きいコイン通路132を画定する部位214、及び、キャンセルしたコイン、すなわち、レール118から外れて落下するコインの落下ガイド部218が形成してある。
図1および図2から明らかなように、カバー104に突出した軸受219、220には、軸222が支持されている。
【００３５】
この軸222には、ガイド片224の上端部が回動自在に枢着され、その下端部は垂下されている。
ガイド片224は、コイン通路132に沿うように下端部が湾曲している。
また、ナットでカバー104にロックされたスクリュウ216とガイド片224との間には弾発力が弱いスプリング（図示せず）を介装し、ガイド片224がコイン通路132に突出するよう付勢されている。
この突出量は、僅かにコインに接触する程度の量になるよう図示しないストッパで規制している。
【００３６】
また、軸222には補助ストッパ228が回動自在に垂下されている。
補助ストッパ228の下端部は第１ゲート手段174の突部176側にＬ字状に屈曲している。
その屈曲端は、第１ゲート手段174の突部176がコイン通路132を横切った後にその先端に当接する。
【００３７】
真正コインがコイン入口212に投入された場合、ベースボード116およびカバー104のガイド部212および入口ガイド148、150で案内されて垂直に落下する。
その後、垂直通路154の第１降下部120、第２降下部140、垂立壁130、ならびに、板状ガイド134の側面ガイド160、及びガイド片224とで傾斜通路158へ案内される。
【００３８】
このとき、カバー104側はガイド面がないが、ガイド片224によりコイン自身の振動による無用な落下を防止する。
コインは、弧状通路156に続いて傾斜通路158を転がり、センサ170を通過する。
センサ170を通過したコインは、レール118とベースボード116とに案内されて出口114からゲーム機のコイン集積部に集められる。
【００３９】
次に本実施例の作用を説明する。
ゲーム機が不使用状態の場合、ソレノイド190が消磁されている。
このため、アーマチャ192はスプリング198のスプリング力により突出されている。
これにより、ピン196、リンク194等を介して第１ゲート手段174はキャンセル位置になり、図示しないストッパに当接して静止している。
【００４０】
この状態において第１ゲート手段174の突部176はコイン通路132を通過した位置にあり、弧状部178がコイン通路132に位置している。
第２ゲート手段180はスプリングによりコイン通路132側に突出するよう付勢され、カム面182がコイン通路132に位置しているキャンセル位置にある。
【００４１】
この状態でコインが入口112から投入された場合、垂直通路154を落下するコインは、第２ゲート手段180のカム面182に衝突し、そのカム面182に沿って反ガイドボード116側へ横方向にスライドされるのでレール118から外れ、ガイドボード116とガイド部214間の通路を落下して図示しないゲーム機の返却口に戻される。
【００４２】
次にゲーム機が使用状態のときは、ソレノイド190が励磁される。
このため、アーマチャ192はスプリング198のスプリング力に抗してソレノイド190内に引き込まれる。
これにより、ピン196、リンク194等を介して第１ゲート手段174は弧状面178がコイン通路132を外れたところでその突起176が第２ゲート手段180の突起に当接する。
これ以降、第１ゲート手段174はその突起で第２ゲート手段180の突起を押動して第２ゲート手段180を友連れし、第１ゲート手段174の突起176と第２ゲート手段180のカム面182がコイン通路132から外れたところで図示しないストッパに当接して退避位置で静止する。
【００４３】
この状態においてコインがゲーム機の入口に投入されると、投入口112を通過してレール118、および側面ガイド160により案内され、かつ、ガイド片224を弱いスプリング力によりコインの一側面に押しつけて垂立壁130及び側面ガイド160に押しつけることにより、両側面がそれらにガイドされつつ転がる。
コインは、垂直通路154において重力により加速されて後、弧状通路156においてそのスピードを損なわないよう滑らかに方向転換されて後、傾斜通路158を転がって出口114に到達する。
【００４４】
このように、ほぼ垂直落下する垂直通路154を設けることにより、短距離でコインの転がりスピードを上げ、選別時間を短縮する効果がある。
また、垂直通路154および弧状通路156ではガイド片224によっても側方から極めて弱いスプリング力で押してコインの振れで真正コインがレール118から外れないように案内している。
【００４５】
弧状通路156ではコインに遠心力が働くため、コインはレール118に圧接、すなわち、密着しつつ転がり、第2弧状部138の周りをほぼ60度回り込む。
弧状通路156ではコインがレール118に密着しているため、真正コインはその周面が第2弧状部138から僅かに離れて転がる。
コインがレール118でジャンプした場合、その周面は第2弧状部138によってガイドされつつ転がる。
傾斜通路158を転がるコインは、センサ170を通過する。
図示しない制御部では、センサ170からの信号により真正コインの通過を判別する。
【００４６】
コインを受け入れない場合、ソレノイド190を消磁して第１ゲート手段174及び第２ゲート手段180をコイン通路132に突出させ、以降、投入されるコインをレール118から外すことによりキャンセルする。
キャンセルされたコインは、落下ガイド部218を通って返却口に返却する。
【００４７】
不正コインを使用した場合、例えばコインの直径が小さい場合、そのコインは板状ガイド134の側面ガイド160に達しないので、ガイド片224の押圧力によって弧状開口186側へ倒れてレール118から外れ、ベースボード116と落下ガイド部218間に落下する。
【００４８】
コインの幅が広い場合は、漏斗状部152で支える。
コインの直径が大きい場合、第１下降部120と第２下降部140の間に支える。
この場合、手動キャンセルレバー204でカバー104側へ押し出してレール118から外すことによりベースボード116と落下ガイド部218間に落下させる。
【００４９】
コインを垂立壁130および側面ガイド160側に付勢する手段は、スプリングで付勢されたガイド片224の他、ベースボード116を傾けてコインの自重によって側面ガイド160と垂立壁130に自重によりもたれるようにしても良い。
また、ガイド片224を設けなくてとも、コイン自身の振れにより小径のコインはレール118から外れて落下する。
しかし、ガイド片224で横方向に付勢することにより更に確実に落下させることができる。
【００５０】
径の異なるコインを用いる場合は、異なる半径を有する第2弧状部138を有する板状ガイド134に交換する。
板状ガイド134は、おおよそ６字形をしているので、交換の説明をする場合、６字状にしてスクリュウ164で固定するとして説明出来るので、説明が容易である利点を有する。
【産業上の利用可能性】
【００５１】
本発明は、スロットマシン等のゲーム機のコインセレクタとして使用することができる。
【図面の簡単な説明】
【００５２】
【図１】図１は、実施例のコインセレクタの斜視図である。
【図２】図２は、実施例のコインセレクタの正面図である。
【図３】図３は、実施例のコインセレクタの分解斜視図である。
【図４】図4は、実施例のカバー取り外したコインセレクタの正面図である。
【図５】図５は、図２におけるA―A断面図である。
【図６】図６は、実施例のコインセレクタの背面斜視図である。
【符号の説明】
【００５３】
P  位置
122  第１弧状部
126  支軸
134  板状ガイド
136  嵌合孔
138  第２弧状部
144  円形部
146  入口ガイド部
148  入口ガイド
154  垂直通路
156  弧状通路
【図１】
2005190227.tif 000003
【図２】
2005190227.tif 000004
【図３】
2005190227.tif 000005
【図４】
2005190227.tif 000006
【図５】
2005190227.tif 000007
【図６】
2005190227.tif 000008